(57)【要約】【課題】手間を軽減してデータ転送を円滑に行う。【解決手段】ＳＮＳシステムのサーバ６０は、ユーザ間で個人情報（氏名、出身地、出身学校など）を公開することで双方の了解の下、友人リストを作成・管理する。デジタルカメラ１０−１、１０−２は、定期的、あるいは随時、あるいは何らかのイベント発生時に、ＳＮＳシステムのサーバ６０からそれぞれの友人リストを取得する。デジタルカメラ１０−１、１０−２は、ピアツーピア又はアドホックで接続される。送信側のデジタルカメラ１０−１は、少なくとも、受信側のデジタルカメラ１０−２の所有者が送信側のデジタルカメラ１０−１の所有者の友人リストに登録されていることを条件に、撮影された画像データを受信側のデジタルカメラ１０−２に転送する。【選択図】図１
2015084156.tif 000002
【特許請求の範囲】
【請求項１】
他の電子機器との間でデータ転送を行う電子機器であって、
ＳＮＳ（Social  Networking  Service）の利用者同士の承認を得て他の利用者の識別情報をリスト化した友人リストを保持する記憶手段と、
前記他の電子機器の利用者の識別情報を取得する取得手段と、
前記取得手段によって取得した前記他の電子機器の利用者を識別する識別情報が、前記記憶手段に保持されている前記友人リストに登録されているか否かを判定する登録判定手段と、
前記登録判定手段によって前記他の電子機器の利用者の識別情報が前記友人リストに登録されていると判定された場合に、前記他の電子機器に対してデータ送信可と判定する送信可判定手段と、
前記送信可判定手段によって前記他の電子機器に対してデータ送信可と判定された場合に、前記他の電子機器に対してデータを送信する送信制御手段と、
を備えることを特徴とする電子機器。
【請求項２】
定期的、あるいは不定期、あるいは所定のイベントが生じたことを契機に、前記友人リストを、前記ＳＮＳのサーバ上から取得する友人リスト取得手段を更に備えることを特徴とする請求項１に記載の電子機器。
【請求項３】
前記他の電子機器とピアツーピアで接続してデータ転送する通信手段を更に備えることを特徴とする請求項１または２に記載の電子機器。
【請求項４】
前記他の電子機器とアドホックで接続してデータ転送する通信手段を更に備えることを特徴とする請求項１または２に記載の電子機器。
【請求項５】
データ転送する電子機器同士を接続するステップと、
送信側の電子機器で、受信側の電子機器の利用者の識別情報を取得するステップと、
前記送信側の電子機器で、前記受信側の電子機器の利用者を識別する識別情報が、ＳＮＳの利用者同士の承認を得て他の利用者の識別情報をリスト化した、前記送信側の電子機器の利用者の友人リストに登録されているか否かを判定するステップと、
前記受信側の電子機器の利用者の識別情報が前記友人リストに登録されていると判定された場合に、前記送信側の電子機器で、前記受信側の電子機器に対してデータ送信可と判定するステップと、
前記受信側の電子機器に対してデータ送信可と判定された場合に、前記送信側の電子機器から前記受信側の電子機器に対してデータを送信するステップと、
を含むことを特徴とするデータ転送方法。
【請求項６】
前記受信側の電子機器の利用者の識別情報が前記友人リストに登録されていると前記送信側の電子機器で判定された場合に、前記受信側の電子機器から前記送信側の電子機器に対してデータ転送を要求するステップと、
前記受信側の電子機器からデータ転送が要求されると、前記送信側の電子機器から前記受信側の電子機器に対してデータを送信するステップと、
を含むことを特徴とする請求項５に記載のデータ転送方法。
【請求項７】
他の電子機器との間でデータ転送を行う電子機器のコンピュータに、
ＳＮＳの利用者同士の承認を得て他の利用者の識別情報をリスト化した友人リストを保持する記憶機能、
前記他の電子機器の利用者の識別情報を取得する取得機能、
前記他の電子機器の利用者を識別する識別情報が、前記友人リストに登録されているか否かを判定する登録判定機能、
前記他の電子機器の利用者の識別情報が前記友人リストに登録されていると判定された場合に、前記他の電子機器に対してデータ送信可と判定する送信可判定機能、
前記他の電子機器に対してデータ送信可と判定された場合に、前記他の電子機器に対してデータを送信する送信制御機能、
を実行させることを特徴とするプログラム。
【発明の詳細な説明】
【技術分野】
【０００１】
本発明は、電子機器のデータ転送に関する。
【背景技術】
【０００２】
従来より、デジタルカメラやカメラ付携帯電話等で撮影された画像を、他のユーザと共有するための技術として、撮影された画像をインターネット上で公開したり、他のデジタルカメラやカメラ付携帯電話等に転送したりする技術が利用されている。
【０００３】
例えば、デジタルカメラやカメラ付携帯電話等で撮影された画像を、ＳＮＳ（Social  Networking  Service）といったサービスを提供するインターネット上のサイト（サーバ）を介して、登録された画像データを、比較的簡単な操作で、画像登録者が指定した利用者に公開する技術が利用されている（例えば、特許文献１参照）。
【０００４】
また、複数台のデジタルカメラを用いて一つのイベントや行事を撮影し、一つのまとまりのある画像データ群を作成するために、複数のデジタルカメラによりグループを構成し、その中から代表カメラを決定し、グループ内のデジタルカメラの画像を代表カメラに集める技術が提案されている（例えば、特許文献２参照）。
【０００５】
また、デジタルカメラと外部機器（他のデジタルカメラを含む）との間で近接無線通信の接続が確立すると、ユーザが選択した画像を、外部機器に送信した後、直前に送信した画像を直前に送信した外部機器以外の機器にも送信するかどうかをユーザに問い合わせ、ユーザにより転送が選択されると、次の外部機器への接続、画像の送信を連続して行う技術が提案されている（例えば、特許文献３参照）。
【先行技術文献】
【特許文献】
【０００６】
【特許文献１】特開２００８−１９７９６８号公報
【特許文献２】特開２００３−０８７６１５号公報
【特許文献３】特開２０１１−４３８９号公報
【発明の概要】
【発明が解決しようとする課題】
【０００７】
上記特許文献１の技術では、画像を公開するために、その都度、ＳＮＳサーバに画像を転送する必要があり、画像を閲覧する側もＳＮＳサーバにアクセスしなければならない。しかしながら、そのときの通信環境によってはＳＮＳサーバにアクセスすることができない場合もあり、また、画像を公開する側、画像を閲覧する側の双方で手間がかかるという問題があった。
【０００８】
また、上記特許文献２の技術では、画像データを転送するデジタルカメラをグループ化する際に、グループ化情報を交換し合い、グループ化可能な相手であることを相互に確認するとしている。しかしながら、代表カメラの選定条件として、記録容量が大きい記録媒体を備えていることが挙げられているだけであり、代表カメラが画像データを転送してもよい相手（利用者）のデジタルカメラであるかを判断する術はなく、そのため、ユーザ操作による手続きが必要となり、手間がかかるという問題があった。
【０００９】
また、上記特許文献３の技術では、外部機器との間で近接無線通信の接続が確立すると、デジタルカメラから、ユーザが選択した画像を、外部機器に送信する。しかしながら、上記特許文献２の技術と同様に、画像データを転送してもよい相手（利用者）の外部機器（デジタルカメラ）であるかを判断する術はなく、そのため、ユーザ操作による手続きが必要となり、手間がかかるという問題があった。
【００１０】
そこで本発明は、データ転送を円滑に行うことを目的とする。
【課題を解決するための手段】
【００１１】
この発明は、他の電子機器との間でデータ転送を行う電子機器であって、ＳＮＳの利用者同士の承認を得て他の利用者の識別情報をリスト化した友人リストを保持する記憶手段と、前記他の電子機器の利用者の識別情報を取得する取得手段と、前記取得手段によって取得した前記他の電子機器の利用者を識別する識別情報が、前記記憶手段に保持されている前記友人リストに登録されているか否かを判定する登録判定手段と、前記登録判定手段によって前記他の電子機器の利用者の識別情報が前記友人リストに登録されていると判定された場合に、前記他の電子機器に対してデータ送信可と判定する送信可判定手段と、前記送信可判定手段によって前記他の電子機器に対してデータ送信可と判定された場合に、前記他の電子機器に対してデータを送信する送信制御手段と、を備えることを特徴とする電子機器である。
【００１２】
この発明は、データ転送する電子機器同士を接続するステップと、送信側の電子機器で、受信側の電子機器の利用者の識別情報を取得するステップと、前記送信側の電子機器で、前記受信側の電子機器の利用者を識別する識別情報が、ＳＮＳの利用者同士の承認を得て他の利用者の識別情報をリスト化した、前記送信側の電子機器の利用者の友人リストに登録されているか否かを判定するステップと、前記受信側の電子機器の利用者の識別情報が前記友人リストに登録されていると判定された場合に、前記送信側の電子機器で、前記受信側の電子機器に対してデータ送信可と判定するステップと、前記受信側の電子機器に対してデータ送信可と判定された場合に、前記送信側の電子機器から前記受信側の電子機器に対してデータを送信するステップと、を含むことを特徴とするデータ転送方法である。
【００１３】
この発明は、他の電子機器との間でデータ転送を行う電子機器のコンピュータに、ＳＮＳの利用者同士の承認を得て他の利用者の識別情報をリスト化した友人リストを保持する記憶機能、前記他の電子機器の利用者の識別情報を取得する取得機能、前記他の電子機器の利用者を識別する識別情報が、前記友人リストに登録されているか否かを判定する登録判定機能、前記他の電子機器の利用者の識別情報が前記友人リストに登録されていると判定された場合に、前記他の電子機器に対してデータ送信可と判定する送信可判定機能、前記他の電子機器に対してデータ送信可と判定された場合に、前記他の電子機器に対してデータを送信する送信制御機能、を実行させることを特徴とするプログラムである。
【発明の効果】
【００１４】
この発明によれば、データ転送を円滑に行うことができる。
【図面の簡単な説明】
【００１５】
【図１】本発明の実施形態によるデジタルカメラ１０−１、１０−２を用いたデータ通信の構成を示すブロック図である。
【図２】本実施形態によるデジタルカメラ１０（１０−１、１０−２）の構成を示すブロック図である。
【図３】本実施形態によるメモリ２０に保持されている、ＳＮＳの友人リストなどのデータを説明するための概念図である。
【図４】本実施形態による送信側のデジタルカメラ１０−１の動作を説明するためのフローチャートである。
【図５】本実施形態による受信側のデジタルカメラ１０−２の動作を説明するためのフローチャートである。
【図６】本実施形態による受信側のデジタルカメラ１０−２の動作を説明するためのフローチャートである。
【図７】本実施形態による送信側のデジタルカメラ１０−１の動作を説明するためのフローチャートである。
【発明を実施するための形態】
【００１６】
以下、本発明の実施の形態を、図面を参照して説明する。
【００１７】
Ａ．実施形態の構成
図１は、本発明の実施形態によるデジタルカメラ１０−１、１０−２を用いたデータ通信の構成を示すブロック図である。図１において、デジタルカメラ１０−１、１０−２は、無線通信３０−１、３０−２により、無線ルータなどの中継局４０を介して、インターネット５０に接続し、インターネット５０上のＳＮＳシステムのサーバ６０にアクセス可能となっている。また、デジタルカメラ１０−１、１０−２は、無線ルータなどの中継局４０を介して、ピアツーピアで通信可能となっている。無線通信３０−１、３０−２は、無線ＬＡＮや移動通信用の３Ｇ、４Ｇでもよい。また、デジタルカメラ１０−１、１０−２は、無線通信７０によりアドホックで通信可能となっている。無線通信７０は、無線ＬＡＮやＮＦＣ（Ｎｅａｒ Ｆｉｅｌｄ Ｃｏｍｍｕｎｉｃａｔｉｏｎ）のような近接無線通信であってもよい。
【００１８】
ＳＮＳシステムのサーバ６０は、登録されたユーザ同士の間で情報交換を行うための様々なサービスを提供する。特に、本実施形態に係るサービスとして、ＳＮＳシステムのサーバ６０は、ユーザ間で個人情報（氏名、出身地、出身学校など）を公開することで双方の了解の下、友人リストを作成することで、友人リストに登録されたユーザ同士で容易にコミュニケーションができるサービスを提供する。
【００１９】
デジタルカメラ１０−１、１０−２は、定期的、あるいは随時、あるいは所定のイベント発生時（ピアツーピア、又はアドホック接続時、ユーザ操作など）に、無線通信３０−１、３０−２により、インターネット５０上のＳＮＳシステムのサーバ６０にアクセスし、それぞれの友人リストをダウンロードして取得する。本実施形態では、デジタルカメラ１０−１、１０−２は、無線通信３０−１、３０−２を介してピアツーピアで接続された場合、又は無線通信７０を介してアドホックで接続された場合、少なくとも、受信側のデジタルカメラの所有者が送信側のデジタルカメラの所有者の友人リストに登録されていることを条件に、送信側のデジタルカメラで撮影された画像データを転送することが可能となっている。
【００２０】
図２は、本実施形態によるデジタルカメラ１０（１０−１、１０−２）の構成を示すブロック図である。図において、デジタルカメラ１０は、撮像レンズ１１、絞り兼用シャッタ１２、ＣＣＤ１３、ＴＧ（Timing Generator）１４、ユニット回路１５、画像処理部１６、レンズ駆動部１７、ＣＰＵ１８、ＤＲＡＭ１９、メモリ２０、フラッシュメモリ２１、表示部２２、キー入力部２３、カードＩ／Ｆ２４、メモリ・カード２５、及び無線通信部２６を備えている。
【００２１】
撮像レンズ１１は、ズームレンズ１１ａ、フォーカスレンズ１１ｂを含み、レンズ駆動部１７が接続されている。レンズ駆動部１７は、ズームレンズ１１ａを駆動するズームレンズ駆動部１７ａと、フォーカスレンズ１１ｂを駆動するフォーカスレンズ駆動部１７ｂとから構成されている。ズームレンズ駆動部１７ａは、ＣＰＵ１８からの制御信号に従ってズームレンズ１１ａを光軸方向に駆動させるズームモータ、ズームモータを駆動させるズームモータドライバからなる。また、フォーカスレンズ駆動部１７ｂは、ＣＰＵ１８からの制御信号に従ってフォーカスレンズ１１ｂを光軸方向に駆動させるフォーカスモータ、該フォーカスモータを駆動させるフォーカスモータドライバからなる。
【００２２】
上記フォーカスモータ、及びズームモータ（図示略）は、ステッピングモータであって、ＣＰＵ１８から送られる制御信号によってステップ駆動することによりズームレンズ１１ａ、フォーカスレンズ１１ｂを光軸上で精密に移動させる。また、上記フォーカスモータ、及びズームモータ（図示略）、あるいはズームレンズ１１ａ、フォーカスレンズ１１ｂの駆動機構には、ズームレンズ１１ａ、フォーカスレンズ１１ｂの位置を検出する検出機構（エンコーダなど）が設けられており、ズームレンズ１１ａ、フォーカスレンズ１１ｂの位置が常にフィードバックされている。
【００２３】
絞り兼用シャッタ１２は、図示しない駆動回路を含み、駆動回路によってＣＰＵ１８から送られてくる制御信号に従って動作する。該絞り兼用シャッタ１２は、ズームレンズ１１ａ及びフォーカスレンズ１１ｂから入ってくる光の量を制御する。ＣＣＤ（撮像素子）１３は、ズームレンズ１１ａ、フォーカスレンズ１１ｂ、及び絞り兼用シャッタ１２を介して投影された被写体の光を電気信号に変換し、撮像信号としてユニット回路１５に出力する。該ＣＣＤ１３は、ＴＧ１４によって生成されたタイミング信号に従って駆動される。
【００２４】
ユニット回路１５は、ＣＣＤ１３から出力される撮像信号を相関二重サンプリングして保持するＣＤＳ（Correlated  Double  Sampling）回路、そのサンプリング後の撮像信号の自動利得調整を行うＡＧＣ（Automatic   Gain  Control）回路、その自動利得調整後のアナログの撮像信号をデジタル信号に変換するＡ／Ｄ変換器から構成されている。該ユニット回路１５は、ＴＧ１４によって生成されたタイミング信号に従って駆動される。ＣＣＤ１３の撮像信号は、ユニット回路１５を経てデジタル信号として画像処理部１６に送られる。
【００２５】
画像処理部１６は、ユニット回路１５から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭ−ＪＰＥＧ形式又はＭＰＥＧ形式の圧縮・伸張）の処理、撮像画像のトリミングや撮像画像のデジタルズームなどの処理などを行う。該画像処理部１６は、ＴＧ１４によって生成されたタイミング信号に従って駆動される。
【００２６】
ＣＰＵ１８は、デジタルカメラ１０の各部を制御するワンチップマイコンである。特に、本実施形態では、ＣＰＵ１８は、ズーム／ワイド操作時のズームレンズ１１ａを駆動するズームレンズ駆動部１７ａの制御や、オートフォーカスのためのフォーカスレンズ１１ｂを駆動するフォーカスレンズ駆動部１７ｂの制御、画像処理部１６による撮像画像に対する画像処理、画像処理後の撮像画像の表示部２２への表示（ライブビュー表示）、無線通信部２６の動作制御、他のデジタルカメラ間との画像データの送受信動作などを制御する。
【００２７】
ＤＲＡＭ１９は、ＣＣＤ１３によって撮像された後、ＣＰＵ１８に送られてきた画像データを一時記憶するバッファメモリとして使用されるとともに、ＣＰＵ１８のワーキングメモリとして使用される。上記ＣＰＵ１８は、ＤＲＡＭ１９に保存された撮像画像に対して上述した処理を施すよう制御する。メモリ２０は、ＣＰＵ１８によるデジタルカメラ１０の各部の制御に必要なプログラム、及び各部の制御に必要なデータを保持している。ＣＰＵ１８は、このプログラムに従って処理を行う。特に、本実施形態では、メモリ２０には、ピアツーピア又はアドホックで接続された他のデジタルカメラなどの電子機器との間で、画像データを転送する際に必要とされる、メールアドレスや、ＳＮＳを識別するＳＮＳドメイン名、該ＳＮＳで用いられる友人リストが保持されている。フラッシュメモリ２１や、メモリ・カード２５は、ＣＣＤ１３によって撮像された画像データなどを保存しておく記録媒体である。
【００２８】
表示部２２は、カラー液晶表示器とその駆動回路を含み、撮像待機状態にあるときには、ＣＣＤ１３によって撮像された撮像画像をライブビュー画像として表示し、記録画像の再生時には、フラッシュメモリ２１や、メモリ・カード２５から読み出され、伸張された記録画像を表示する。キー入力部２３は、シャッタスイッチ、ズームスイッチ、モードキー、ＳＥＴキー、十字キー等の複数の操作キーを含み、ユーザのキー操作に応じた操作信号をＣＰＵ１８に出力する。カードＩ／Ｆ２４には、デジタルカメラ１０本体の図示しないカードスロットを介してメモリ・カード２５が着脱自在に装着されている。
【００２９】
無線通信部２６は、移動通信用の３Ｇや４Ｇ、無線ＬＡＮあるいはＮＦＣのような近接無線通信からなる。より具体的には、無線通信部２６は、ＣＰＵ１８の制御の下、移動通信用の３Ｇや４Ｇ、無線ＬＡＮあるいはＮＦＣのような近接無線通信を用いて、中継局４０を介してインターネット５０に接続する。本実施形態では、インターネット５０上のＳＮＳシステムのサーバ６０にアクセスし、サーバ６０で管理されている友人リストをダウンロードする際に用いられる。
【００３０】
また、無線通信部２６は、移動通信用の３Ｇや４Ｇ、無線ＬＡＮあるいはＮＦＣのような近接無線通信を用いて、他のデジタルカメラなどの電子機器とピアツーピアで接続するか、無線ＬＡＮあるいはＮＦＣのような近接無線通信を用いて、アドホックで接続する。本実施形態では、ピアツーピア又はアドホックで接続されたデジタルカメラ同士で、同じＳＮＳの友人リストに登録されていることを条件に、それぞれのデジタルカメラで撮影された画像データを互いにやり取りする際に用いられる。
【００３１】
図３（ａ）、（ｂ）は、本実施形態によるメモリ２０に保持されている、ＳＮＳの友人リストなどのデータを説明するための概念図である。図３（ａ）には、デジタルカメラ１０−１に保持されているメールアドレス８０−１、ＳＮＳドメイン名８１−１、及び友人リスト８２−１が示されている。また、図３（ｂ）には、デジタルカメラ１０−２に保持されているメールアドレス８０−２、ＳＮＳドメイン名８１−２、及び友人リスト８２−２が示されている。
【００３２】
図３（ａ）において、メールアドレス８０−１は、例えば「aaa@ooo.pp.qq」であり、デジタルカメラ１０−１の所有者が後述するＳＮＳに登録しているメールアドレスである。デジタルカメラ１０−１の所有者は、後述するＳＮＳにログインする際に該メールアドレス８０−１を用いる。ＳＮＳのサーバ６０では、該メールアドレス８０−１とパスワード（図示略）とを用いてユーザ認証を行う。また、ＳＮＳドメイン名８１−１は、「ＳＮＳ＿Ａ」であり、デジタルカメラ１０−１の所有者が登録しているＳＮＳを示す。友人リスト８２−１は、デジタルカメラ１０−１の所有者が登録しているＳＮＳドメイン「ＳＮＳ＿Ａ」の友人リストの一覧である。図示の例では、友人リストとして、「bbb@xxx.yy.zz」、「ccc@aaa.bb.dd」、「ddd@aaa.bb.dd」、「zzz@xxx.yy.zz」、…が登録されている。
【００３３】
次に、図３（ｂ）において、メールアドレス８０−２は、例えば「bbb@xxx.yy.zz」であり、デジタルカメラ１０−２の所有者が後述するＳＮＳに登録しているメールアドレスである。デジタルカメラ１０−２の所有者は、後述するＳＮＳにログインする際に該メールアドレス８０−２を用いる。ＳＮＳのサーバ６０では、該メールアドレス８０−２とパスワード（図示略）とを用いてユーザ認証を行う。また、ＳＮＳドメイン名８１−２は、「ＳＮＳ＿Ａ」であり、デジタルカメラ１０−１の所有者が登録しているＳＮＳを示す。すなわち、デジタルカメラ１０−１と１０−２の所有者は、同じＳＮＳを利用していることを示している。友人リスト８２−２は、デジタルカメラ１０−２の所有者が登録しているＳＮＳドメイン「ＳＮＳ＿Ａ」の友人リストの一覧である。図示の例では、友人リストとして、「aaa@ooo.pp.qq」、「ccc@aaa.bb.dd」、「ddd@aaa.bb.dd」、「xxx@ooo.pp.qq」、…が登録されている。
【００３４】
図３（ａ）において、デジタルカメラ１０−１の所有者の友人リスト８２−１には、友人として、デジタルカメラ１０−２の所有者のメールアドレス「bbb@xxx.yy.zz」が登録されている。また、図３（ｂ）において、デジタルカメラ１０−２の所有者の友人リスト８２−２には、友人として、デジタルカメラ１０−１の所有者のメールアドレス「aaa@ooo.pp.qq」が登録されている。デジタルカメラ１０−１、１０−２がピアツーピア又はアドホックで接続された場合に、少なくとも、受信側のデジタルカメラのメールアドレスが、送信側のデジタルカメラの同じＳＮＳの友人リストに登録されていれば、画像データを転送可とする。一方、デジタルカメラ１０−１、１０−２がピアツーピア又はアドホックで接続された場合に、受信側のデジタルカメラのメールアドレスが、送信側のデジタルカメラの同じＳＮＳの友人リストに登録されていなければ、画像データを転送不可とするようになっている。
【００３５】
Ｂ．実施形態の動作
次に、上述した実施形態の動作について説明する。
以下、デジタルカメラ１０−１を画像データの送信側とし、デジタルカメラ１０−２を画像データの受信側として説明する。
【００３６】
Ｂ−１．第１の動作例
図４は、本実施形態による送信側のデジタルカメラ１０−１の動作を説明するためのフローチャートである。まず、送信側のデジタルカメラ１０−１において、ＣＰＵ１８が、無線通信部２６によって、ピアツーピア又はアドホックで相手のデジタルカメラ１０−２と通信を確立する（ステップＳ１０）。次に、送信側のデジタルカメラ１０−１では、ＣＰＵ１８が、無線通信部２６で、相手のデジタルカメラ１０−２に対してＳＮＳドメイン、自メールアドレス（図３（ａ）参照）を送信する（ステップＳ１２）。次に、送信側のデジタルカメラ１０−１のＣＰＵ１８は、受信側のデジタルカメラ１０−２から相手のＳＮＳドメイン、メールアドレスを受信したか否かを判断する（ステップＳ１４）。
【００３７】
ここで、相手のＳＮＳドメイン、メールアドレスを受信した場合とは、上記デジタルカメラ１０−２に対して送信したＳＮＳドメインの自メールアドレスが相手のＳＮＳドメインの友人リストに存在したということである。一方、相手のＳＮＳドメイン、メールアドレスが受信されない場合とは、上記受信側のデジタルカメラ１０−２に対して送信したＳＮＳドメインが相手のＳＮＳドメインになかったか、あるいは同じＳＮＳドメインはあったが、その友人リストに存在しなかったということである。
【００３８】
したがって、受信側のデジタルカメラ１０−２のＳＮＳドメイン、メールアドレスが受信されなかった場合には（ステップＳ１４のＮＯ）、エラー表示（又は画像データの転送が不可である旨）を表示し（ステップＳ１８）、後述するステップＳ３０に進む。一方、受信側のデジタルカメラ１０−２のＳＮＳドメイン、メールアドレスを受信した場合には（ステップＳ１４のＹＥＳ）、送信側のデジタルカメラ１０−１のＣＰＵ１８は、メモリ２０を参照し、受信側のＳＮＳドメイン、メールアドレスが友人リストに登録されているか否かを判断する（ステップＳ１６）。そして、受信側のデジタルカメラ１０−２のＳＮＳドメイン、メールアドレスが友人リストに登録されていない場合には（ステップＳ１６のＮＯ）、エラー表示（又は画像データの転送が不可である旨）を表示し（ステップＳ１８）、後述するステップＳ３０に進む。
【００３９】
一方、相手のＳＮＳドメイン、メールアドレスが友人リストに登録されている場合には（ステップＳ１６のＹＥＳ）、受信側のデジタルカメラ１０−２に送信する画像データ（１つ以上）を選択する（ステップＳ２０）。すなわち、送信すべき画像データを選択する段階では、ピアツーピア又はアドホックで接続された受信側のデジタルカメラ１０−２に対して画像データが送信可能である状態となっている。送信側のデジタルカメラ１０−１のＣＰＵ１８は、例えば、表示部２２に「画像データの送信が可能です。送信する画像データを選択してください。」などのメッセージを表示するとともに、記録されている撮影された画像データの一覧（サムネイル）を表示する。ユーザは、画像データの一覧（サムネイル）の中から送信する画像データを選択する。あるいは、画像データを一枚一枚スライド表示させながら送信したい画像データを選択してもよい。画像データを選択した後、ユーザは、キー入力部２３の送信ボタンを押下する。
【００４０】
次に、送信側のデジタルカメラ１０−１のＣＰＵ１８は、ユーザによってキー入力部２３の送信ボタンが押下されたか否かを判断する（ステップＳ２２）。送信ボタンが押下されていない場合には（ステップＳ２２のＮＯ）、ステップＳ２０に戻り、画像データの選択を継続する。一方、ユーザによりキー入力部２３の送信ボタンが押下された場合には（ステップＳ２２のＹＥＳ）、送信側のデジタルカメラ１０−１のＣＰＵ１８は、無線通信部２６によって、選択された画像データを、ピアツーピア又はアドホックで接続されている受信側のデジタルカメラ１０−２に送信する（ステップＳ２４）。
【００４１】
次に、送信側のデジタルカメラ１０−１のＣＰＵ１８は、選択された全ての画像データを送信したか否かを判断する（ステップＳ２６）。そして、まだ送信していない画像データがある場合には（ステップＳ２６のＮＯ）、送信側のデジタルカメラ１０−１のＣＰＵ１８は、ステップＳ２４に戻り、選択された画像データの送信を継続する。一方、選択された全ての画像データを送信した場合には（ステップＳ２６のＹＥＳ）、表示部２２に「全ての画像データを送信しました。」などのメッセージを表示することにより、データ終了を通知する（ステップＳ２８）。
【００４２】
次に、送信側のデジタルカメラ１０−１のＣＰＵ１８は、ユーザにより、ピアツーピア又はアドホックによる通信の終了操作があったか否かを判断する（ステップＳ３０）。そして、ピアツーピア又はアドホックによる通信の終了操作がない場合には（ステップＳ３０のＮＯ）、ステップＳ２０に戻り、上述した処理を繰り返す。一方、ピアツーピア又はアドホックによる通信の終了操作があった場合には（ステップＳ３０のＹＥＳ）、送信側のデジタルカメラ１０−１のＣＰＵ１８は、無線通信部２６によるピアツーピア又はアドホックによる通信を切断すべく制御を行い（ステップＳ３２）、当該処理を終了する。
【００４３】
図５は、本実施形態による受信側のデジタルカメラ１０−２の動作を説明するためのフローチャートである。受信側のデジタルカメラ１０−２では、ＣＰＵ１８が、まず、無線通信部２６で、ピアツーピア又はアドホックで相手のデジタルカメラ１０−１と通信を確立する（ステップＳ４０）。次に、受信側のデジタルカメラ１０−２では、ＣＰＵ１８が、無線通信部２６で、送信側のデジタルカメラ１０−１から送信されてくるＳＮＳドメイン、相手メールアドレス（図３（ａ）参照）を受信する（ステップＳ４２）。
【００４４】
次に、受信側のデジタルカメラ１０−２のＣＰＵ１８は、メモリ２０を参照し、受信した送信側のデジタルカメラ１０−１のＳＮＳドメイン、メールアドレスが友人リストに登録されているか否かを判断する（ステップＳ４４）。そして、受信した送信側のＳＮＳドメイン、メールアドレスが友人リストに登録されていない場合には（ステップＳ４４のＮＯ）、エラー表示（又は画像データの転送が不可である旨）を表示し（ステップＳ４６）、後述するステップＳ５６に進む。
【００４５】
一方、送信側のＳＮＳドメイン、メールアドレスが友人リストに登録されている場合には（ステップＳ４４のＹＥＳ）、受信側のデジタルカメラ１０−２では、ＣＰＵ１８が、無線通信部２６で、相手のデジタルカメラ１０−１に対してＳＮＳドメイン、自メールアドレス（図３（ｂ）参照）を送信する（ステップＳ４８）。
【００４６】
つまり、受信側のデジタルカメラ１０−２が自身のＳＮＳドメイン、自メールアドレスを、送信側のデジタルカメラ１０−１に対して送信するということは、送信側のデジタルカメラ１０−１側のＳＮＳドメイン、メールアドレスが自身の友人リストに登録されていたということである。すなわち、送信側のデジタルカメラ１０−１の所有者、および受信側のデジタルカメラ１０−２の所有者が同一ＳＮＳドメインの友人リストに登録していたということであり、画像データの送信が可能であるということを意味する。
【００４７】
受信側のデジタルカメラ１０−２が送信側のデジタルカメラ１０−１に対してＳＮＳドメイン、自メールアドレスを送信したことで、送信側のデジタルカメラ１０−１は、画像データの送信動作へ移行する（上述した図４のステップＳ２０〜Ｓ２６）。受信側のデジタルカメラ１０−２では、ＣＰＵ１８が、送信側のデジタルカメラ１０−１から送信される画像データを受信したか否かを判断する（ステップＳ５０）。そして、画像データを受信していない場合には（ステップＳ５０のＮＯ）、後述するステップＳ５６に進む。一方、画像データを受信した場合には（ステップＳ５０のＹＥＳ）、受信した画像データをフラッシュメモリ２１や、メモリ・カード２５に格納する（ステップＳ５２）。
【００４８】
次に、受信側のデジタルカメラ１０−２のＣＰＵ１８は、全ての画像データを受信したか否かを判断する（ステップＳ５４）。そして、まだ受信していない画像データがある場合、すなわち画像データがまだ送信されてくる場合には（ステップＳ５４のＮＯ）、ＣＰＵ１８は、ステップＳ５０に戻り、画像データの受信・格納を継続する。一方、全ての画像データを受信した場合には（ステップＳ５４のＹＥＳ）、受信側のデジタルカメラ１０−２のＣＰＵ１８は、ユーザにより、ピアツーピア又はアドホックによる通信の終了操作があったか否かを判断する（ステップ５６）。そして、ピアツーピア又はアドホックによる通信の終了操作がない場合には（ステップＳ５６のＮＯ）、ステップＳ５０に戻り、上述した処理を繰り返す。一方、ピアツーピア又はアドホックによる通信の終了操作があった場合には（ステップＳ５６のＹＥＳ）、受信側のデジタルカメラ１０−２のＣＰＵ１８は、無線通信部２６によるピアツーピア又はアドホックによる通信を切断すべく制御を行い（ステップＳ５８）、当該処理を終了する。
【００４９】
Ｂ−２．第２の動作例
次に、受信側のデジタルカメラ１０−２からの送信要求に応じて、送信側のデジタルカメラ１０−１から送信する場合について説明する。
【００５０】
図６は、本実施形態による受信側のデジタルカメラ１０−２の動作を説明するためのフローチャートである。まず、受信側のデジタルカメラ１０−２において、ＣＰＵ１８が、無線通信部２６によって、ピアツーピア又はアドホックで相手のデジタルカメラ１０−１と通信を確立する（ステップＳ７０）。次に、デジタルカメラ１０−２では、ＣＰＵ１８が、無線通信部２６で、相手のデジタルカメラ１０−１に対してＳＮＳドメイン、自メールアドレス（図３（ｂ）参照）を送信する（ステップＳ７２）。次に、ＣＰＵ１８は、相手のデジタルカメラ１０−１から相手のＳＮＳドメイン、メールアドレスを受信したか否かを判断する（ステップＳ７４）。
【００５１】
ここで、相手のＳＮＳドメイン、メールアドレスを受信した場合とは、上記デジタルカメラ１０−１に対して送信したＳＮＳドメインの自メールアドレスが相手のＳＮＳドメインの友人リストに存在したということである。一方、相手のＳＮＳドメイン、メールアドレスが受信されない場合とは、上記デジタルカメラ１０−１に対して送信したＳＮＳドメインが相手のＳＮＳドメインになかったか、あるいは同じＳＮＳドメインはあったが、その友人リストに存在しなかったということである。
【００５２】
したがって、相手のＳＮＳドメイン、メールアドレスが受信されなかった場合には（ステップＳ７４のＮＯ）、エラー表示（又は画像データの転送が不可である旨）を表示し（ステップＳ７６）、後述するステップＳ９６に進む。一方、相手のＳＮＳドメイン、メールアドレスを受信した場合には（ステップＳ７４のＹＥＳ）、送信側のデジタルカメラ１０−１に、受信側のデジタルカメラ１０−２の所有者のＳＮＳドメイン、自メールアドレスが友人リストに存在するということであるので（送信可であることを意味するので）、ＣＰＵ１８は、ユーザによってキー入力部２３を用いた画像データの要求操作があったか否かを判断する（ステップＳ７８）。そして、画像データの要求操作がなかった場合には（ステップＳ７８のＮＯ）、ＣＰＵ１８は、画像データの要求操作があるまで待機する。
【００５３】
一方、ユーザによりキー入力部２３を用いた画像データの要求操作があった場合には（ステップＳ７８のＹＥＳ）、受信側のデジタルカメラ１０−２のＣＰＵ１８は、送信側のデジタルカメラ１０−１に対して、サムネイルリストを要求する（ステップＳ８０）。次に、デジタルカメラ１０−２のＣＰＵ１８は、上記要求に応じて送信側のデジタルカメラ１０−１から送信されるサムネイルリストを受信する（ステップＳ８２）。次に、受信側のデジタルカメラ１０−２のＣＰＵ１８は、送信側のデジタルカメラ１０−１から受信する画像データ（１つ以上）を選択する（ステップＳ８４）。
【００５４】
例えば、表示部２２に「所望する画像データを選択してください。」などのメッセージを表示するとともに、記録されている撮影された画像データの一覧（サムネイル）を表示し、ユーザに受信したい画像データを選択させる。ユーザは、画像データの一覧（サムネイル）の中から所望する画像データを選択する。あるいは、画像データ（低解像度）を一枚一枚スライド表示させながら所望する画像データを選択してもよい。画像データを選択した後、ユーザは、キー入力部２３の送信要求ボタンを押下する。
【００５５】
次に、受信側のデジタルカメラ１０−２のＣＰＵ１８は、ユーザによってキー入力部２３の送信要求ボタンが押下されたか否かを判断する（ステップＳ８６）。送信要求ボタンが押下されていない場合には（ステップＳ８６のＮＯ）、ステップＳ８４に戻り、画像データの選択を継続する。一方、ユーザによりキー入力部２３の送信要求ボタンが押下された場合には（ステップＳ８６のＹＥＳ）、受信側のデジタルカメラ１０−２のＣＰＵ１８は、無線通信部２６によって、選択された画像データの送信を、ピアツーピア又はアドホックで接続されている送信側のデジタルカメラ１０−１に要求する（ステップＳ８８）。
【００５６】
受信側のデジタルカメラ１０−２では、ＣＰＵ１８が、送信側のデジタルカメラ１０−１から送信される画像データを受信し（ステップＳ９０）、受信した画像データをフラッシュメモリ２１や、メモリ・カード２５に格納する（ステップＳ９２）。次に、受信側のデジタルカメラ１０−２のＣＰＵ１８は、全ての画像データを受信したか否かを判断する（ステップＳ９４）。そして、まだ受信していない画像データがある場合には（ステップＳ９４のＮＯ）、ＣＰＵ１８は、ステップＳ０９０に戻り、画像データの受信・格納を継続する。
【００５７】
一方、全ての画像データを受信した場合には（ステップＳ９４のＹＥＳ）、ＣＰＵ１８は、ユーザにより、ピアツーピア又はアドホックによる通信の終了操作があったか否かを判断する（ステップ９６）。そして、ピアツーピア又はアドホックによる通信の終了操作がない場合には（ステップＳ９６のＮＯ）、ステップＳ７８に戻り、上述した処理を繰り返す。一方、ピアツーピア又はアドホックによる通信の終了操作があった場合には（ステップＳ９６のＹＥＳ）、ＣＰＵ１８は、無線通信部２６によるピアツーピア又はアドホックによる通信を切断すべく制御を行い（ステップＳ９８）、当該処理を終了する。
【００５８】
図７は、本実施形態による送信側のデジタルカメラ１０−１の動作を説明するためのフローチャートである。まず、送信側のデジタルカメラ１０−１において、ＣＰＵ１８が、無線通信部２６によって、ピアツーピア又はアドホックで相手のデジタルカメラ１０−２と通信を確立する（ステップＳ１１０）。次に、送信側のデジタルカメラ１０−１では、ＣＰＵ１８が、無線通信部２６で、受信側のデジタルカメラ１０−２からのＳＮＳドメイン、相手メールアドレス（図３（ｂ）参照）を受信する（ステップＳ１１２）。
【００５９】
次に、受信側のデジタルカメラ１０−２のＣＰＵ１８は、メモリ２０を参照し、受信した送信側のデジタルカメラ１０−１のＳＮＳドメイン、メールアドレスが友人リストに登録されているか否かを判断する（ステップＳ１１４）。そして、受信した送信側のＳＮＳドメイン、メールアドレスが友人リストに登録されていない場合には（ステップＳ１１４のＮＯ）、エラー表示（又は画像データの転送が不可である旨）を表示し（ステップＳ１１６）、後述するステップＳ１３２に進む。
【００６０】
一方、相手のＳＮＳドメイン、メールアドレスが友人リストに登録されている場合には（ステップＳ１１４のＹＥＳ）、送信側のデジタルカメラ１０−１のＣＰＵ１８は、無線通信部２６で、相手のデジタルカメラ１０−１に対してＳＮＳドメイン、自メールアドレス（図３（ａ）参照）を送信する（ステップＳ１１８）。
【００６１】
つまり、送信側のデジタルカメラ１０−１が自身のＳＮＳドメイン、自メールアドレスを、受信側のデジタルカメラ１０−２に対して送信するということは、少なくとも、受信側のデジタルカメラ１０−２側のＳＮＳドメイン、メールアドレスが自身の友人リストに登録されていたということであり、画像データの送信が可能であるということを意味する。
【００６２】
次に、送信側のデジタルカメラ１０−１のＣＰＵ１８は、受信側のデジタルカメラ１０−２からのサムネイルリスト要求を受信したか否かを判断する（ステップＳ１２０）。そして、受信側のデジタルカメラ１０−２からのサムネイルリスト要求を受信していない場合には（ステップＳ１２０のＮＯ）、サムネイルリスト要求の受信を待機する。一方、受信側のデジタルカメラ１０−２からのサムネイルリスト要求を受信した場合には（ステップＳ１２０のＹＥＳ）、送信側のデジタルカメラ１０−１のＣＰＵ１８は、フラッシュメモリ２１や、メモリ・カード２５に格納されている画像データのサムネイルリストを、受信側のデジタルカメラ１０−２に送信する（ステップＳ１２２）。
【００６３】
次に、送信側のデジタルカメラ１０−１のＣＰＵ１８は、受信側のデジタルカメラ１０−２からの送信要求を受信したか否かを判断する（ステップＳ１２４）。そして、送信要求を受信していない場合には（ステップＳ１２４のＮＯ）、送信要求の受信を待機する。一方、受信側のデジタルカメラ１０−２からの送信要求を受信した場合には（ステップＳ１２４のＹＥＳ）、送信側のデジタルカメラ１０−１のＣＰＵ１８は、無線通信部２６によって、要求された画像データを、ピアツーピア又はアドホックで接続されている受信側のデジタルカメラ１０−２に送信する（ステップＳ１２６）。
【００６４】
次に、送信側のデジタルカメラ１０−１のＣＰＵ１８は、要求された全ての画像データを送信したか否かを判断する（ステップＳ１２８）。そして、まだ送信していない画像データがある場合には（ステップＳ１２８のＮＯ）、ＣＰＵ１８は、ステップＳ１２６に戻り、要求された画像データの送信を継続する。一方、要求された全ての画像データを送信した場合には（ステップＳ１２８のＹＥＳ）、表示部２２に「全ての画像データを送信しました。」などのメッセージを表示することにより、データ終了を通知する（ステップＳ１３０）。
【００６５】
次に、送信側のデジタルカメラ１０−１のＣＰＵ１８は、ユーザにより、ピアツーピア又はアドホックによる通信の終了操作があったか否かを判断する（ステップＳ１３２）。そして、ピアツーピア又はアドホックによる通信の終了操作がない場合には（ステップＳ１３２のＮＯ）、ステップＳ１２０に戻り、上述した処理を繰り返す。一方、ピアツーピア又はアドホックによる通信の終了操作があった場合には（ステップＳ１３２のＹＥＳ）、ＣＰＵ１８は、無線通信部２６によるピアツーピア又はアドホックによる通信を切断すべく制御を行い（ステップＳ１３４）、当該処理を終了する。
【００６６】
上述した実施形態によれば、デジタルカメラ間の画像データ転送において、受信側のデジタルカメラの所有者が、送信側のデジタルカメラの所有者の、予め登録してあるＳＮＳの「友人リスト」に該当する場合に画像を送信可能とするようにしたので、画像データを転送してもよい相手（利用者）を自動で認識できるため、画像データ転送時におけるユーザの確認などに係る作業が不要となり、ユーザの手間を軽減して画像データ転送を円滑に行うことができる。
【００６７】
また、上述した実施形態によれば、定期的、あるいは不定期、あるいは所定のイベントが生じたことを契機に、友人リストをＳＮＳのサーバ上から取得することで、随時、自動的にデジタルカメラ１０の友人リストも更新することができる。
【００６８】
また、上述した実施形態によれば、デジタルカメラ同士をピアツーピア又はアドホックで接続しているので、不用意に画像データを拡散してしまうのを防止することができる。
【００６９】
なお、上述した実施形態においては、デジタルカメラの所有者を認証するために、ＳＮＳに登録しているメールアドレスを用いたが、これに限らず、個人を認証可能であれば、ユーザ毎に一意に設定されるユーザＩＤや、登録名などでもよい。
【００７０】
また、上述した実施形態においては、転送するデータの例として画像データを用いたが、これに限らず、テキストデータなどでもよい。また、電子機器の例としてデジタルカメラを用いたが、データを送受信できるのであれば、どのような電子機器であってもよい。
【００７１】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００７２】
（付記１）
付記１に記載の発明は、他の電子機器との間でデータ転送を行う電子機器であって、ＳＮＳ（Social  Networking  Service）の利用者同士の承認を得て他の利用者の識別情報をリスト化した友人リストを保持する記憶手段と、前記他の電子機器の利用者の識別情報を取得する取得手段と、前記取得手段によって取得した前記他の電子機器の利用者を識別する識別情報が、前記記憶手段に保持されている前記友人リストに登録されているか否かを判定する登録判定手段と、前記登録判定手段によって前記他の電子機器の利用者の識別情報が前記友人リストに登録されていると判定された場合に、前記他の電子機器に対してデータ送信可と判定する送信可判定手段と、前記送信可判定手段によって前記他の電子機器に対してデータ送信可と判定された場合に、前記他の電子機器に対してデータを送信する送信制御手段と、を備えることを特徴とする電子機器である。
【００７３】
（付記２）
付記２に記載の発明は、定期的、あるいは不定期、あるいは所定のイベントが生じたことを契機に、前記友人リストを、前記ＳＮＳのサーバ上から取得する友人リスト取得手段を更に備えることを特徴とする付記１に記載の電子機器である。
【００７４】
（付記３）
付記３に記載の発明は、前記他の電子機器とピアツーピアで接続してデータ転送する通信手段を更に備えることを特徴とする付記１または２に記載の電子機器である。
【００７５】
（付記４）
付記４に記載の発明は、前記他の電子機器とアドホックで接続してデータ転送する通信手段を更に備えることを特徴とする付記１または２に記載の電子機器である。
【００７６】
（付記５）
付記５に記載の発明は、データ転送する電子機器同士を接続するステップと、送信側の電子機器で、受信側の電子機器の利用者の識別情報を取得するステップと、前記送信側の電子機器で、前記受信側の電子機器の利用者を識別する識別情報が、ＳＮＳの利用者同士の承認を得て他の利用者の識別情報をリスト化した、前記送信側の電子機器の利用者の友人リストに登録されているか否かを判定するステップと、前記受信側の電子機器の利用者の識別情報が前記友人リストに登録されていると判定された場合に、前記送信側の電子機器で、前記受信側の電子機器に対してデータ送信可と判定するステップと、前記受信側の電子機器に対してデータ送信可と判定された場合に、前記送信側の電子機器から前記受信側の電子機器に対してデータを送信するステップと、を含むことを特徴とするデータ転送方法である。
【００７７】
（付記６）
付記６に記載の発明は、前記受信側の電子機器の利用者の識別情報が前記友人リストに登録されていると前記送信側の電子機器で判定された場合に、前記受信側の電子機器から前記送信側の電子機器に対してデータ転送を要求するステップと、前記受信側の電子機器からデータ転送が要求されると、前記送信側の電子機器から前記受信側の電子機器に対してデータを送信するステップと、を含むことを特徴とする付記５に記載のデータ転送方法である。
【００７８】
（付記７）
付記７に記載の発明は、他の電子機器との間でデータ転送を行う電子機器のコンピュータに、ＳＮＳの利用者同士の承認を得て他の利用者の識別情報をリスト化した友人リストを保持する記憶機能、前記他の電子機器の利用者の識別情報を取得する取得機能、前記他の電子機器の利用者を識別する識別情報が、前記友人リストに登録されているか否かを判定する登録判定機能、前記他の電子機器の利用者の識別情報が前記友人リストに登録されていると判定された場合に、前記他の電子機器に対してデータ送信可と判定する送信可判定機能、前記他の電子機器に対してデータ送信可と判定された場合に、前記他の電子機器に対してデータを送信する送信制御機能、を実行させることを特徴とするプログラムである。
【符号の説明】
【００７９】
１０−１、１０−２  デジタルカメラ
３０−１、３０−２、７０  無線通信
４０  中継局
５０  インターネット
６０  サーバ
１１  撮像レンズ
１１ａ  ズームレンズ
１１ｂ  フォーカスレンズ
１２  絞り兼用シャッタ
１３  ＣＣＤ
１４  ＴＧ（Timing Generator）
１５  ユニット回路
１６  画像処理部
１７  レンズ駆動部
１７ａ  ズームレンズ駆動部
１７ｂ  フォーカスレンズ駆動部
１８  ＣＰＵ
１９  ＤＲＡＭ
２０  メモリ
２１  フラッシュメモリ
２２  表示部
２３  キー入力部
２４  カードＩ／Ｆ
２５  メモリ・カード
２６  無線通信部
【図１】
2015084156.tif 000003
【図２】
2015084156.tif 000004
【図３】
2015084156.tif 000005
【図４】
2015084156.tif 000006
【図５】
2015084156.tif 000007
【図６】
2015084156.tif 000008
【図７】
2015084156.tif 000009